(57)【特許請求の範囲】
【請求項１】
容器本体側のハウジングに収納された内容物を、操作作動部の放出操作により、当該操作作動部と連動して吐出弁作用を呈する内容物通過用のステム作動部を経て、当該操作作動部とは別体で当該放出操作の際にも移動せずに放出操作前の初期位置の固定放出部から、外部空間に放出する内容物放出機構において、
前記ステム作動部から前記固定放出部までの内容物放出用通路域が、
前記ステム作動部に設定される上流通路域と、
当該上流通路域から連続するかたちで前記操作作動部に設定される中流通路域と、
当該中流通路域から連続するかたちで前記固定放出部に設定される下流通路域と、で形成され、
前記操作作動部は、
前記中流通路域を設定する中流筒状部からなり、
前記中流筒状部は、
その内容物通過用の上流側断面積が下流側断面積よりも大きく形成された筒状部であり、
かつ、
前記ハウジングに対して前記ステム作動部を前記操作作動部に向かう第一の方向に付勢するハウジング側弾性部材の他に、
前記操作作動部に対して前記ステム作動部を前記ハウジングに向かう、前記第一の方向とは逆の第二の方向に付勢する操作側弾性部材を備えている、
ことを特徴とする内容物放出機構。
【請求項２】
前記固定放出部は、
前記下流通路域としての下流筒状部を備え、
前記操作作動部は、
前記放出操作の対象となる操作部と、
当該操作部と一体化されて、前記操作側弾性部材の一方の受け部および前記中流筒状部からなる、操作連結部と、を備え、
前記ステム作動部は、
前記上流通路域を設定するステム本体と、
当該ステム本体の内容物流出側の外周面と一体化されて、かつ、前記操作側弾性部材の他方の受け部および、前記放出操作にともなって移動する前記中流筒状部の上流側部分の案内機能を持つ上流筒状部からなる、ステム連結部と、を備えている、
ことを特徴とする請求項１記載の内容物放出機構。
【請求項３】
前記中流筒状部は、
前記下流筒状部および前記上流筒状部それぞれの周面に当接している、
ことを特徴とする請求項２記載の内容物放出機構。
【請求項４】
請求項１乃至３のいずれかに記載の内容物放出機構を備え、かつ、容器本体に内容物を収容した、
ことを特徴とするポンプ式製品。
【発明の詳細な説明】
【技術分野】
【０００１】
本発明は、ポンプ式製品で用いられる固定放出部タイプの内容物放出機構に関し、特に容器本体側のハウジングに収納された内容物が、操作作動部の放出操作と連動して吐出弁作用を呈する内容物通過用のステム作動部および当該操作作動部の内部空間域を経て、当該操作作動部とは別体で当該放出操作の際にも移動せずに放出操作前の初期位置の固定放出部から、外部空間に放出する内容物放出機構に関する。
【０００２】
その基本的考えは概略、
(11)固定放出部との連続した内容物通路域を形成する操作部（操作作動部）と、これとは別部材で吐出弁として作用するステム（ステム作動部）とを、弾性部材を介して相対移動可能なかたちで設定し、
(12)操作部の内容物通路域を、その内容物通過用断面積が固定放出部側よりもステム側で大きくなるように設定して、内容物放出操作により操作部が弾性部材に抗しながらステム側へ移動する際のステム流出側から固定放出部までの内容物放出通路域全体の容量を減少させ、
(13)内容物放出操作時のステムの移動にともなうハウジング内部容量の減少により圧力大となったハウジング内容物を、ステムおよびその下流側の上記(12)の内容物通路域へと流出させる、
ものである。
【背景技術】
【０００３】
本件出願人は、放出操作の際に外部空間への内容物流出孔の位置が移動しない固定放出部タイプの内容物放出機構を提案している（下記特許文献１参照）。
【０００４】
この内容物放出機構は、操作部と一体化して連動するピストン（ステム）および内容物の固定放出部に対する弁作用ピストン（吐出弁）を備え、それぞれのピストンはいわば非連続の離間状態で配設されている。
【０００５】
そして、このピストン（ステム）から弁作用ピストン（吐出弁）までの離間空間域は次回放出対象内容物の貯留空間域として作用する。
【０００６】
内容物放出操作時のピストン（ステム）の移動により当該貯留空間域の容積を小さくしてそこでの内容物圧力が大きくなる。
【０００７】
この内容物圧力の増加にともない、弁作用ピストン（吐出弁）が開状態へと移行して貯留空間域の内容物が固定放出部から外部空間へと噴射される。すなわち、操作部と一体化して連動するピストン（ステム）の内部が、従前のように内容物通路域として作用する、ことはない。
【先行技術文献】
【特許文献】
【０００８】
【特許文献１】国際公開第２００７／０８６１５６号
【発明の開示】
【発明が解決しようとする課題】
【０００９】
このように上述の提案済みの固定放出部タイプの内容物放出機構は、操作部と一体化して連動するピストン（ステム）のいわば内部空間域抜きの内容物放出径路を用いるといった着想により、吐出弁上流側の貯留空間域の内容物を確実に固体放出部へ送れるといった利点を備えたものである。
【００１０】
本発明は、操作部と連動するステムを従前と同じように放出対象内容物の通過用部材として用い、このステム側と、固定放出部に対して移動する操作部側とを弾性部材で連結する、といった新たな着想に基づく固定放出部タイプの内容物放出機構である。
【００１１】
本発明は、このような新たな着想からなる固定放出部タイプの内容物放出機構であって、既存のステム，コイルスプリング，ハウジング，吸込弁，吐出弁などの各種構成要素の効率的利用化を図り、かつ、固定放出部からの内容物噴射技術の豊富化を図ることを目的とする。
【課題を解決するための手段】
【００１２】
本発明は、以上の課題を次のようにして解決する。
（１）容器本体側（例えば後述の容器本体１０）のハウジング（例えば後述のハウジング５）に収納された内容物を、操作作動部（例えば後述の操作作動部２）の放出操作により、当該操作作動部と連動して吐出弁作用を呈する内容物通過用のステム作動部（例えば後述のステム作動部３）を経て、当該操作作動部とは別体で当該放出操作の際にも移動せずに放出操作前の初期位置の固定放出部（例えば後述の固定放出部１，１'）から、外部空間に放出する内容物放出機構において、
前記ステム作動部から前記固定放出部までの内容物放出用通路域が、
前記ステム作動部に設定される上流通路域（例えば後述の中央上流通路域３ｂ，環状上流通路域３ｋ）と、
当該上流通路域から連続するかたちで前記操作作動部に設定される中流通路域（例えば後述の小径中流通路域２ｊ，大径中流通路域２ｍ）と、
当該中流通路域から連続するかたちで前記固定放出部に設定される下流通路域（例えば後述の下流通路域１ｂ）と、で形成され、
前記操作作動部は、
前記中流通路域を設定する中流筒状部（例えば後述の小径筒状部２ｈ，大径筒状部２ｋ）からなり、
前記中流筒状部は、
その内容物通過用の上流側断面積（例えば後述の長直径Ｄ２の円面積）が下流側断面積（例えば後述の短直径Ｄ１の円面積）よりも大きく形成された筒状部であり、
かつ、
前記ハウジングに対して前記ステム作動部を前記操作作動部に向かう第一の方向に付勢するハウジング側弾性部材（例えば後述のハウジング側弾性部材９）の他に、
前記操作作動部に対して前記ステム作動部を前記ハウジングに向かう、前記第一の方向とは逆の第二の方向に付勢する操作側弾性部材（例えば後述の操作側弾性部材８）を備えている、
構成態様のものを用いる。
（２）上記（１）において、
前記固定放出部は、
前記下流通路域としての下流筒状部（例えば後述の内側垂下筒状部１ｃ，Ｌ字筒状部１ｃ'，ノズル１ｃ''）を備え、
前記操作作動部は、
前記放出操作の対象となる操作部（例えば後述の操作部２ａ）と、
当該操作部と一体化されて、前記操作側弾性部材の一方の受け部（例えば後述の外向き環凸状部２ｐ）および前記中流筒状部からなる、操作連結部（例えば後述の操作連結部２ｇ）と、を備え、
前記ステム作動部は、
前記上流通路域を設定するステム本体（例えば後述のステム本体３ａ）と、
当該ステム本体の内容物流出側の外周面と一体化されて、かつ、前記操作側弾性部材の他方の受け部（例えば後述の環鍔状部３ｍ）および、前記放出操作にともなって移動する前記中流筒状部の上流側部分（例えば後述の大径筒状部２ｋ）の案内機能を持つ上流筒状部（例えば後述の外側起立筒状部３ｊ）からなる、ステム連結部（例えば後述のステム連結部３ｇ）と、を備えている、
構成態様のものを用いる。
（３）上記（２）において、
前記中流筒状部は、
前記下流筒状部および前記上流筒状部それぞれの周面に当接している、
構成態様のものを用いる。
【００１３】
本発明は、以上の特徴を持つ放出部固定タイプの内容物放出機構を対象とするとともに、この内容物放出機構を備えたポンプ式製品も対象にしている。
【発明の効果】
【００１４】
本発明は、以上の構成をとることにより、ポンプ式内容物放出機構の既存のステム，コイルスプリング，ハウジング，吸込弁，吐出弁などの各種構成要素の効率的利用化を図り、かつ、固定放出部からの内容物噴射技術の豊富化を図ることができる。
【図面の簡単な説明】
【００１５】
【図１】鼻腔などを噴射対象とした上方噴射仕様の固定放出部タイプの内容物放出機構の静止モードを示す説明図である。
【図２】操作ユニットの各構成要素（操作部２ａ，操作連結部２ｇ，操作側コイルスプリング８およびステム連結部３ｇ）の関連斜視状態を示す説明図である。
【図３】固定放出部１および図２の操作ユニットを一体化してからステム本体３ａおよびネジキャップ４に取り付けるときの関連斜視状態を示す説明図である。
【図４】図１の内容物放出機構の作動モードを示す説明図である。なお、図示のものは説明の便宜上、利用者が操作部を下げきったいわば放出最終状態を示している。
【図５】口内などを噴射対象とした横噴射仕様の固定放出部タイプの内容物放出機構の静止モードを示す説明図である。
【発明を実施するための最良の形態】
【００１６】
図１乃至図５を用いて本発明を実施するための形態を説明する。
【００１７】
なお、以下のアルファベット付き参照番号が示す構成要素（例えば流出孔１ａ）はアルファベットなしの参照番号の構成要素（例えば固定放出部１）の一部であることを示している。
【００１８】
図１〜図５において、
１，１'は容器本体側に取り付けられて、内容物放出操作の際にも操作前の初期位置状態のままに保持される固定放出部（固定放出部１；図１〜図４，固定放出部１'：図５），
１ａは当該固定放出部の先端部分に設定されて内容物を外部空間へ放出するための流出孔，
１ｂは後述の小径筒状部２ｈの上端部分から流出孔１ａまでの連通空間域として設定される下流通路域，
１ｃは下流通路域１ｂを設定する内側垂下筒状部（図１〜図４：下流筒状部），
１ｃ'は下流通路域１ｂを設定するＬ字筒状部（図５：下流筒状部），
１ｃ''はＬ字筒状部１ｃ'の図示横方向部分に取り付けられて下流通路域１ｂを設定するノズル（図５：下流筒状部），
１ｄは内側垂下筒状部１ｃの回りの外側垂下筒状部からそれぞれ下方に連続する態様で間歇的に形成された計三個の縦長片部，
１ｅは隣同士の縦長片部１ｄの間に設定された計三個の縦長切欠状部，
１ｆは各縦長片部１ｄの下端部分にそれぞれ形成されて、後述のネジキャップ４に係合保持されている外向き凸状部，
をそれぞれ示している。
【００１９】
また、
２は固定放出部１の内部に組み込まれた図示上下方向スライド式の操作作動部，
２ａは筒状の操作部，
２ｂは操作部２ａの上端側であって内側垂下筒状部１ｃと縦長片部１ｄとの間に配設された上端環状部，
２ｃは操作部２ａの下端側であって利用者の内容物放出操作対象となる環鍔状部，
２ｄは上端環状部２ｂと環鍔状部２ｃとの間に周方向間歇的に設定されて、操作部２ａを固定放出部１へ組み込んだ後にはその縦長切欠状部１ｅのそれぞれに入り込み、両隣の縦長片部１ｄの各外周面との連続円周面を形成する計三個の縦接続部，
２ｅは隣同士の縦接続部２ｄの間にそれぞれ設定されて、固定放出部１の各縦長片部１ｄを受け入れる計三個の縦切欠状部，
２ｆは各縦接続部２ｄの下側周方向内面部分に形成されて、操作部２ａの中に後述の操作連結部２ｇおよび操作側コイルスプリング８とともにいわばユニット態様で組み込まれたステム連結部３ｇの、内容物放出機構組立て前のユニット状態および組立て後の静止モードにおける図示上下方向位置をそれぞれ設定し、また内容物放出操作にともなう当該操作部との図示上下方向の相対的移動を許容するための周方向凹状部，
２ｇは操作部２ａの筒状内部に組み込まれるかたちで当該操作部と一体化される筒状の操作連結部，
２ｈは操作連結部２ｇの上内側部分であってその上端逆スカート状部が内側垂下筒状部１ｃの内周面に案内される小径筒状部（中流筒状部の下流側部分），
２ｊは小径筒状部２ｈの内部空間域であって固定放出部１の下流通路域１ｂなどと連通する小径中流通路域，
２ｋは操作連結部２ｇの下側部分であってその下端スカート状部が後述のステム連結部３ｇの外側起立筒状部３ｊの内周面に案内される大径筒状部（中流筒状部の上流側部分），
２ｍは大径筒状部２ｋの内部空間域であって小径中流通路域２ｊなどと連通する大径中流通路域，
２ｎは操作連結部２ｇの上外側部分であって小径筒状部２ｈとの間に固定放出部１の内側垂下筒状部１ｃのいわば受入れ環状空間域を形成する上外側筒状部，
２ｐは上外側筒状部２ｎの上端部分に形成されて縦接続部２ｄの上端内周面に係合する外向き環凸状部（操作側弾性部材の一方の受け部），
をそれぞれ示している。
【００２０】
また、
３は内容物放出操作に応動して周知の吐出弁作用を呈するステム作動部，
３ａは筒状のステム本体，
３ｂはステム本体３ａの内部空間域であって操作連結部２ｇの大径中流通路域２ｍと連通する中央上流通路域，
３ｃはステム本体３ａの下側周面に形成された内容物流入用の横孔部，
３ｄは横孔部３ｃの直上外周面に形成された環凹状部，
３ｅは環凹状部３ｄに配設された弾性を有する環状ラバー，
３ｆは横孔部３ｃの直下外周面に形成された外方への環状段部，
３ｇは操作部２ａの筒状内部に組み込まれるかたちでステム本体３ａの内容物流出側の外周面と一体化される筒状のステム連結部，
３ｈはステム連結部３ｇの中央部分であってステム本体３ａの上端側部分を嵌合保持する内側起立筒状部，
３ｊは内側起立筒状部３ｈの外側部分であって、大径筒状部２ｋの下端スカート状部を案内する外側起立筒状部（上流筒状部），
３ｋは内側起立筒状部３ｈと外側起立筒状部３ｊとの間の、大径筒状部２ｋの下端部分より下方部分に形成される環状有底空間域であって、操作連結部２ｇの大径中流通路域２ｍと連通する環状上流通路域，
３ｍは外側起立筒状部３ｊの基部から外方に延びる環鍔状部（操作側弾性部材の他方の受け部），
をそれぞれ示している。
【００２１】
また、
４は固定放出部１，１'の取付け対象部材であって、後述の開口首部１０ａの外周面とネジ結合するネジキャップ，
４ａは当該ネジキャップの上面外端側に形成されて固定放出部１，１'の外向き凸状部１ｆを嵌合保持する環溝状部，
をそれぞれ示している。
【００２２】
また、
５はネジキャップ４の内面上端部分などに嵌合保持されて次回放出対象の内容物を貯留する周知のハウジング，
５ａは当該ハウジングの内部空間域であってステム本体３ａおよび後述の吐出弁６と後述の吸込弁７との間に設定される次回放出対象内容物の貯留空間域，
５ｂは非エアレス仕様のポンプ式製品における当該ハウジングの周面部に形成されて、後述の容器本体１０の内部へ減圧防止用外気を供給するための周知の横孔部，
をそれぞれ示している。
【００２３】
また、
６は外側筒状部および内側筒状部からなるかたちでハウジング５の上側内部空間域に設けられて、外側筒状部の上端逆スカート状部および下端スカート状部がそれぞれハウジングの内周面に密接し、内側筒状部の上端部分が環状ラバー３ｅに密接し、かつ、内側筒状部の下端部分がステム本体３ａの環状段部３ｆに対して開閉作用を呈する図示上下方向移動タイプの周知の吐出弁（吐出弁），
７はハウジング５の内容物流入側に設けられた周知の吸込弁（ボール弁），
をそれぞれ示している。
【００２４】
また、
８は操作連結部２ｇの外向き環凸状部２ｐの下面部分とステム連結部３ｇの環鍔状部３ｍの上面部分との間に配設され、ステム作動部３を操作作動部２に対して図示下方向（ハウジング５に向かう第二の方向）に付勢する操作側コイルスプリング（操作側弾性部材），
９はステム本体３ａの外底面環状部とハウジング５の下端側内周面段部との間に配設され、ステム作動部３を当該ハウジングに対して図示上方向（操作作動部２に向かう第一の方向）に付勢するハウジング側コイルスプリング（ハウジング側弾性部材），
１０は放出対象の各種内容物を収容する容器本体，
１０ａはネジキャップ４が着脱自在なかたちで取り付けられる開口首部，
をそれぞれ示している。
【００２５】
また、
Ｄ１は操作連結部２ｇの小径筒状部２ｈの上端逆スカート状部における短直径，
Ｄ２は操作連結部２ｇの大径筒状部２ｋの下端スカート状部における長直径，
をそれぞれ示している。
【００２６】
また、図５において、
１１はＬ字筒状部１ｃ'，ノズル１ｃ''および後述の操作ユニットなどを収納保持し、かつ、操作部２ａの環鍔状部２ｃを押し下げるための鞘状の押圧操作部材，
１１ａは環鍔状部２ｃに当接して、内容物放出操作時に当該環鍔状部への押下げ作用を呈する内周面凸状段部，
１１ｂはノズル１ｃ''の流出孔１ａを外部空間に露出させるための前方開口部，
をそれぞれ示している。
【００２７】
ここで、短直径Ｄ１の円面積（≒図示縦方向の下流通路域１ｂの横断面積）が「中流通路域および下流通路域の境界部分の内容物通過用の下流側断面積」に相当する。
【００２８】
また、長直径Ｄ２の円面積（≒内側起立筒状部３ｈの横端面円面積＋環状上流通路域３ｋの横断面積）が「中流通路域および上流通路域の境界部分の内容物通過用の上流側断面積」に相当する。
【００２９】
以上の各構成要素の中、吸込弁７，操作側コイルスプリング８およびハウジング側コイルスプリング９以外のものはナイロン，ポリアセタール，ポリエチレン，ポリプロピレン，ポリエチレンテレフタレート，ポリブエチレンテレフタレート，ＮＢＲ，ネオプレン，ブチルゴムなどからなる合成樹脂製のものである。
【００３０】
吸込弁７，操作側コイルスプリング８およびハウジング側コイルスプリング９は金属製や合成樹脂製のものである。
【００３１】
なお、ステム本体３ａ，環状ラバー３ｅ，ハウジング５，吐出弁６，吸込弁７，操作側コイルスプリング８およびハウジング側コイルスプリング９などは既製の各部品を用いている。
【００３２】
図示の内容物放出機構の基本的特徴は、
(21)固定放出部１，１'の外向き凸状部１ｆがネジキャップ４の環溝状部４ａに嵌合保持されているので、固定放出部の一部である流出孔１ａは内容物放出操作の際にも静止モード位置から移動せず、
(22)ステム作動部３が、操作作動部２とハウジング５との間に、操作側コイルスプリング８およびハウジング側コイルスプリング９の双方でいわば挟み込まれた状態に設定され、
(23)操作連結部２ｇの小径筒状部２ｈの上端逆スカート状部における短直径Ｄ１が、その大径筒状部２ｋの下端スカート状部における長直径Ｄ２よりも小さく設定されている、
ことなどである。
【００３３】
このようにステム作動部３は、ハウジング側コイルスプリング９の作用により上方向への周知の弾性力を受けるとともに、操作側コイルスプリング８の作用により下方向への弾性力を受けている。
【００３４】
そして、上述の短直径Ｄ１と長直径Ｄ２との大小関係により、
操作作動部２への内容物放出操作にともない、操作連結部２ｇ（小径筒状部２ｈおよび大径筒状部２ｋ）が内側垂下筒状部１ｃおよび外側起立筒状部３ｊに対して下方に移動するときの、大径中流通路域２ｍおよび環状上流通路域３ｋの合計容積減少分は、下流通路域１ｂの容積増加分よりも小さい。
【００３５】
すなわち、操作連結部２ｇの上記移動にともない、ステム本体３ａから流出孔１ａまでの内容物放出通路域（中央上流通路域３ｂ，環状上流通路域３ｋ，大径中流通路域２ｍ，小径中流通路域２ｊおよび下流通路域１ｂ）の全体容積が減少する。
【００３６】
そのため、内容物放出操作時のステム本体３ａの下動にともなう貯留空間域５ａの内容物圧力増加により吐出弁６が開状態となって、当該貯留空間域から当該ステム本体の中央上流通路域３ｂに流入する内容物は、その先の全体容積が減少した上記内容物放出通路域および流出孔１ａへと、流れの勢いを保持したまま効率的にまた確実に移動しえる。
【００３７】
なお、固定放出部１，１'，操作作動部２，ステム作動部３，ネジキャップ４，ハウジング５，吐出弁６，吸込弁７，操作側コイルスプリング８，ハウジング側コイルスプリング９，容器本体１０および押圧操作部材１１の図示上下方向の中心線は、それぞれ略一致している。
【００３８】
図１〜図４の内容物放出機構の組立て手順の概略は例えば次のようになる。
(31)操作部２ａの内部空間域に、その下方から操作連結部２ｇおよび操作側コイルスプリング８を順に設定した後、ステム連結部３ｇを当該操作連結部の方に押し込んで、その環鍔状部３ｍの外端部分が当該操作部の周方向凹状部２ｆに入り込んだかたちの操作ユニットを作成し、
(32)この操作ユニットを、固定放出部１の下方からその縦長切欠状部１ｅに縦接続部２ｄが合致するように入れていくことにより、当該操作ユニットの小径筒状部２ｈと当該固定放出部の内側垂下筒状部１ｃの内周面との摩擦係合状態にかかる外装操作放出ユニットを作成し、
(33)この外装操作放出ユニットを、吸込弁７，ハウジング側コイルスプリング９，ステム本体３ａ，吐出弁６などが組み込まれた周知のハウジング５と、ネジキャップ４とを一体化したかたちのポンプ作動ユニットに、外向き凸状部１ｆおよび内側起立筒状部３ｈがそれぞれ環溝状部４ａおよびステム本体３ａに嵌合保持されるかたちで取り付ける。
【００３９】
図１は、鼻腔などを噴射対象とした上方噴射仕様の固定放出部タイプの内容物放出機構の静止モードを示している。
【００４０】
この静止モードのとき、
(41)ステム連結部３ｇは、上記操作ユニットのときと同じように操作側コイルスプリング８の作用でいわば押し下げられて、その環鍔状部３ｍが操作部２ａの周方向凹状部２ｆの下端側部分に係止され、
(42)ステム本体３ａは、ハウジング側コイルスプリング９の作用でいわば押し上げられて、その環状段部３ｆが吐出弁６の内側筒状部下端部分に密接し、
(43)吐出弁６は、その内側筒状部の上端逆スカート状部が環状ラバー３ｅに密接し、
(44)ハウジング５の貯留空間域５ａには、前回の内容物放出操作の終了にともなって容器本体１０から流入した内容物が収容されている。
【００４１】
すなわち、吐出弁６および吸込弁７がともに閉じて、これらの弁で画定される貯留空間域５ａには次回放出対象の内容物が入っている。
【００４２】
図４は、図１の内容物放出機構の作動モード、すなわち利用者が固定放出部１の流出孔１ａを鼻腔入口部分などにあててから操作部２ａの環鍔状部２ｃを押下げたときの作動モード（の内容物放出最終状態）を示している。
【００４３】
この操作部２ａの押下げ操作にともなう作動モードへの移行に際しては、
(51)ステム本体３ａが、ハウジング側コイルスプリング９の弾性付勢力に抗するかたちで下動し、
(52)このステム本体３ａの下動に応じる形でハウジング５の貯留空間域５ａの容積が小さくなって、そこの内容物圧力が次第に高まり、
(53)吐出弁６は、図示上方向への内容物の全圧力が、吐出弁の自重や、環状ラバー３ｅからの下方向弾性付勢力などよりも強くなった時点で、当該環状ラバーを変形させながらステム本体３ａに対して上動し、
(54)この吐出弁６の上動にともない、当該吐出弁と、ステム本体３ａの環状段部３ｆとの間の開閉状態がそれまでの閉状態から開状態へと変化し、貯留空間域５ａの内容物は当該開状態の空間域およびその先の横孔部３ｃを経て中央上流通路域３ｂへと流入し、
(55)そして、この閉状態から開状態への変化と略同時に、操作部２ａおよびこれと一体の操作連結部２ｇが、操作側コイルスプリング８の弾性付勢力に抗するかたちでステム連結部３ｇおよびこれと一体のステム本体３ａに対して下動する。
【００４４】
この操作連結部２ｇがステム連結部３ｇに対して図示下方向に移動することにより、上記〔００３５〕で述べたように、ステム本体３ａから流出孔１ａまでの内容物放出通路域（中央上流通路域３ｂ，環状上流通路域３ｋ，大径中流通路域２ｍ，小径中流通路域２ｊおよび）の全体容積が、操作連結部２ｇの当該移動前よりも、すなわち静止モードのときよりも減少する。
【００４５】
ここで中央上流通路域３ｂおよび小径中流通路域２ｊの各容積は操作連結部２ｇの当該移動の前後において変化しない。当該移動にともなう、環状上流通路域３ｋおよび大径中流通路域２ｍをあわせた容積減少分が下流通路域１ｂの容積増加分よりも大きくなる。
【００４６】
そのため、内容物放出操作によりハウジング５の貯留空間域５ａから開状態の吐出弁６および横孔部３ｃを経てステム本体３ａの中央上流通路域３ｂに流入した内容物は、静止モードよりも小容積となった上記内容物放出通路域および流出孔１ａを経て外部空間へと放出される。
【００４７】
本件内容物放出機構の試作品を検証したところ、操作部２ａの環鍔状部２ｃに対する下方向への押圧操作力の増加（操作部２ａの下動）にともない、
(61)600gfほどの押圧操作力の段階で、ハウジング側コイルスプリング９が静止モードのときよりも縮む状態へと変位を開始し、これによりハウジング５の貯留空間域５ａの容積が減少し始める、すなわち当該貯留空間域の内容物圧力が増加するのにともなって、吐出弁６がそれまでの閉状態から開状態へと移行し、
(62)800gfほどの押圧操作力の段階で、操作側コイルスプリング８が静止モードのときよりも縮む状態へと変位を開始し、これによりステム本体３ａから流出孔１ａまでの上記内容物放出通路域の容積が減少し始めて、ハウジング５の貯留空間域５ａの内容物が流出孔１ａから積極的に放出され、
(63)1000gfほどの押圧操作力の段階で、操作側コイルスプリング８およびハウジング側コイルスプリングがそれぞれの下死点まで進んで、流出孔１ａからの内容物放出が終了する、
ことを確認した。
【００４８】
利用者が操作部２ａの環鍔状部２ｃに対する押下げ操作を解除すると、操作作動部２およびステム作動部３はそれぞれ操作側コイルスプリング８およびハウジング側コイルスプリング９の弾性付勢力により図示上方向に復帰する。すなわち静止モードに復帰する。
【００４９】
この操作作動部２およびステム作動部３の静止モードへの復帰に際して、上述の操作作動部２の押下げ操作時とは逆に、環状上流通路域３ｋおよび大径中流通路域２ｍをあわせた容積増加分が下流通路域１ｂの容積減少分よりも大きくなる。なお、中央上流通路域３ｂおよび小径中流通路域２ｊの各容積が変化しないのは同様である。
【００５０】
すなわちステム本体３ａから流出孔１ａまでの内容物放出通路域の全容積が内容物放出操作の解除にともなって増加する。
【００５１】
この内容物放出通路域の全容積が増加してそこの内容物圧力が減少することによりバックサクション作用が生じ、流出孔１ａ近くの残留内容物が当該内容物放出通路域の中へと吸引される。
【００５２】
また、ハウジング５の貯留空間域５ａの容積も増加してそこの内容物圧力が減少するので、吸込弁７が開き、容器本体１０の内容物が当該内容物貯留域へと流入する。この流入内容物が次回の放出対象となる。また、内容物の流入ともなう圧力増加により吸込弁７は閉じて静止モードへと移行する。
【００５３】
図５は、口内などを噴射対象とした横噴射仕様の固定放出部タイプの内容物放出機構の静止モードを示している。
【００５４】
図５の横噴射仕様の内容物放出機構の、上方噴射仕様の内容物放出機構（図１〜図４）との構成上の相違点は、
(71)内側垂下筒状部１ｃに代えて、Ｌ字筒状部１ｃ'およびその前端側に取り付けたノズル１ｃ''を用い、
(72)このＬ字筒状部１ｃ'およびノズル１ｃ''を収容し、かつ、操作部２ａの環鍔状部２ｃを押し下げるための鞘状の押圧操作部材１１を付加し、
(73)この押圧操作部材１１は、環鍔状部２ｃに当接して押下げ作用を呈する内周面凸状段部１１ａおよび、ノズル１ｃ''を露出させるための前方開口部１１ｂを備えている、
ことなどである。
【００５５】
また、図５の横噴射仕様の内容物放出機構の組立て手順は、上方噴射仕様の内容物放出機構同様のそれと同様であり、例えば次のようになる。
(81)上記(31)の操作ユニットを作成し、
(82)この操作ユニットを、上記(32)と同じように、ノズル１ｃ''なしの状態の固定放出部に入れることにより外装操作放出ユニット（前段階）を作成し、
(83)この外装操作放出ユニット（前段階）の上側に押圧操作部材１１を取り付けてから、ノズル１ｃ''をＬ字筒状部１ｃ'に嵌合させることにより最終的な外装操作放出ユニットを作成し、
(84)この外装操作放出ユニットを、上記(33)と同じ方法でポンプ作動ユニットに取り付ける。
【００５６】
なお、図１〜図５のハウジング５はエアレス仕様を前提としているので、容器本体１０の内容物の減少にともなって、容器本体１０の中に設けられた、容器本体内容物と容器本体底面付近から流入する外気とを仕切る周知の可動底部材（図示省略）が上動していく。
【００５７】
また、容器本体１０の底部が固定タイプで内容物吸上げ用のパイプをハウジングの流入口に取り付けたパイプ仕様の場合には、作動モードから静止モードへ復帰する際に容器本体１０の内部へ減圧防止用外気を供給することが必要である。この減圧防止用外気の流入径路としては例えば、図４の減圧防止用の横孔部５ｂを通る点線矢印径路が用いられる。
【００５８】
本発明が以上の実施形態に限定されないことは勿論であり例えば、
(91)押下げ操作タイプの押圧操作部材１１に代えて、回動操作タイプのトリガー式レバーを用いる、
ようにしてもよい。
【００５９】
本発明が適用されるポンプ式製品としては、点鼻薬剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６０】
容器本体に収納する内容物は、液状，クリーム状，ゲル状，発泡性状（泡状）など種々の形態のものを用いることができ、内容物に配合される成分としては例えば、粉状物，油成分，アルコール類，界面活性剤，高分子化合物，各用途に応じた有効成分，水などが挙げられる。
【００６１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６５】
高分子化合物としては、メチルセルロース，ゼラチン，デンプン，カゼイン，ヒドロキシエチルセルロース，キサンタンガム，カルボキシビニルポリマーなどを用いる。
【００６６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６７】
さらに、上記内容物以外の、懸濁剤，紫外線吸収剤，乳化剤，保湿剤，酸化防止剤、金属イオン封鎖剤なども用いることができる。
【符号の説明】
【００６８】
１：固定放出部（図１〜図４）
１'：固定放出部（図５）
１ａ：流出孔
１ｂ：下流通路域
１ｃ：内側垂下筒状部（図１〜図４：下流筒状部），
１ｃ'：Ｌ字筒状部（図５：下流筒状部），
１ｃ''：ノズル（図５：下流筒状部），
１ｄ：計三個の縦長片部
１ｅ：計三個の縦長切欠状部
１ｆ：外向き凸状部
【００６９】
２：操作作動部
２ａ：操作部
２ｂ：上端環状部
２ｃ：環鍔状部
２ｄ：計三個の縦接続部
２ｅ：計三個の縦切欠状部
２ｆ：周方向凹状部
２ｇ：操作連結部
２ｈ：小径筒状部（中流筒状部）
２ｊ：小径中流通路域
２ｋ：大径筒状部（中流筒状部）
２ｍ：大径中流通路域
２ｎ：上外側筒状部
２ｐ：外向き環凸状部（操作側弾性部材の一方の受け部）
【００７０】
３：ステム作動部
３ａ：ステム本体
３ｂ：中央上流通路域
３ｃ：横孔部
３ｄ：環凹状部
３ｅ：環状ラバー
３ｆ：環状段部
３ｇ：ステム連結部
３ｈ：内側起立筒状部
３ｊ：外側起立筒状部（上流筒状部）
３ｋ：環状上流通路域
３ｍ：環鍔状部（操作側弾性部材の他方の受け部）
【００７１】
４：ネジキャップ
４ａ：環溝状部
５：ハウジング
５ａ：貯留空間域
５ｂ：横孔部
６：吐出弁
７：吸込弁（ボール弁）
８：操作側コイルスプリング（操作側弾性部材）
９：ハウジング側コイルスプリング（ハウジング側弾性部材）
１０：容器本体
１０ａ：開口首部
Ｄ１：短直径
Ｄ２：長直径
【００７２】
（図５）
１１：押圧操作部材
１１ａ：内周面凸状段部
１１ｂ：前方開口部
【図１】
0005818204.tif 000002
【図２】
0005818204.tif 000003
【図３】
0005818204.tif 000004
【図４】
0005818204.tif 000005
【図５】
0005818204.tif 000006